(57)【特許請求の範囲】
【請求項１】
吸入口、前記吸入口に通じる集塵室、前記集塵室の開口部を開閉する回転自在の外蓋、前記集塵室に通じる内部排気口、前記内部排気口に通じる電動送風機室、前記電動送風機室に通じる外部排気口を備えた本体ケースと、前記電動送風機室に配置された電動送風機とを備えた電気掃除機であって、
前記集塵室内部に集塵ケースを着脱自在に配置し、前記集塵ケースはその前壁に前記吸入口に連通する接続口を有しその後壁を開放したものまたはその前壁に前記吸入口に連通する接続口を有しその後壁に通気面を備えたものであり、
前記集塵ケースの上部と前記外蓋の内側に互いに係合し合う係合片をそれぞれ設け、前記集塵室の開口部から前記外蓋が開かれる際に、前記外蓋の係合片が前記集塵ケースの係合片を介して前記集塵ケースを前記吸入口側に押圧しながら持ち上げる態様にそれらの係合片を配置していることを特徴とする電気掃除機。
【請求項２】
前記集塵ケースの上部に設けられた回動可能なハンドルと、
前記ハンドルを起立状態とする方向へ付勢するハンドル付勢機構とを備え、
前記ハンドルが前記ハンドル付勢機構の作用により前記外蓋を開く方向に付勢することを特徴とする請求項１に記載の電気掃除機。
【発明の詳細な説明】
【技術分野】
【０００１】
本発明は電気掃除機に関し、特にその集塵ケース及び集塵ケースの取出口を開閉する外蓋に関連するものである。
【背景技術】
【０００２】
電気掃除機は、吸入口、吸入口に通じる集塵室、集塵室の開口部（集塵ケースの着脱口）を開閉する回転自在の外蓋、集塵室に通じる内部排気口、内部排気口に通じる電動送風機室、電動送風機室に通じる外部排気口を備えた本体ケースと、電動送風機室に配置された電動送風機とを備えている。そして、集塵室には集塵ケースが着脱自在に配置されて使用に供される。
【０００３】
集塵ケースは、集塵袋を保持して集塵袋による集塵または直接塵埃を集塵するいずれかの集塵機能を有する。電動送風機の吸引によって吸入口から吸引された塵埃は集塵ケースにて捕獲され、吸引された空気は連通する内部排気口及び電動送風機室を経て、外部排気口から外に排出される（特許文献１参照）。
【０００４】
また、外蓋の回転中心軸に外蓋を開く方向へ付勢するバネ等の付勢機構を備え、外蓋の本体ケースとの係止を解除することで、外蓋が付勢により開くものが知られている（特許文献２参照）。
【先行技術文献】
【特許文献】
【０００５】
【特許文献１】特開昭５７−５２４３２号公報
【特許文献２】実開平１−１５７６４９号公報
【発明の概要】
【発明が解決しようとする課題】
【０００６】
しかしながら、以上のような従来の電気掃除機では以下のような問題があった。
・集塵ケースに塵埃が溜まるにつれて集塵ケース自体の重量が増加して、集塵ケースを本体から取り外す際に手首に負担がかかる。
・集塵ケースの周囲にシール部材が設けられている場合は、集塵ケースが集塵室から更に外しにくくなる。つまり、集塵ケースを集塵室から引き出そうとすると、集塵ケースのシール部材と本体の摩擦により、片手で本体を押さえながらもう片方の手で集塵ケースを外す操作が必要となり、使い勝手が悪い。
・電動送風機の駆動により集塵ケースは集塵室後方の隔離壁に密着するため、紙パック内の塵埃が多くなればなるほど集塵ケースが隔離壁に密着して、集塵室から集塵ケースを引き出すのが困難になる。
・外蓋の回転中心軸にバネ等の付勢機構を設けると外蓋または本体ケースに強い応力が加わり、それらを変形もしくは破壊してしまう可能性がある。
【０００７】
本発明は、上述のような課題を解決する為になされたもので、容易に、特に集塵室から集塵ケースを引き出しやすくする電気掃除機を提供することを目的とする。
また、本体ケースや外蓋を破損するような事態を生じさせることなく、外蓋の開動作を容易に行なわせる電気掃除機を提供することを目的とする。
【課題を解決するための手段】
【０００８】
本発明に係る電気掃除機は、吸入口、前記吸入口に通じる集塵室、前記集塵室の開口部を開閉する回転自在の外蓋、前記集塵室に通じる内部排気口、前記内部排気口に通じる電動送風機室、前記電動送風機室に通じる外部排気口を備えた本体ケースと、前記電動送風機室に配置された電動送風機とを備えた電気掃除機であって、前記集塵室内部に集塵ケースを着脱自在に配置し、前記集塵ケースはその前壁に前記吸入口に連通する接続口を有しその後壁を開放したものまたはその前壁に前記吸入口に連通する接続口を有しその後壁に通気面を備えたものであり、前記集塵ケースの上部と前記外蓋の内側に互いに係合し合う係合片をそれぞれ設け、前記集塵室の開口部から前記外蓋が開かれる際に、前記外蓋の係合片が前記集塵ケースの係合片を介して前記集塵ケースを前記吸入口側に押圧しながら持ち上げる態様にそれらの係合片を配置しているものである。
【発明の効果】
【０００９】
本発明の電気掃除機は、集塵ケースの上部と外蓋の内側に互いに係合し合う係合片をそれぞれ設け、集塵室の開口部から外蓋が開かれる際に、外蓋の係合片が集塵ケースの係合片を介して集塵ケースを吸入口側に押圧しながら持ち上げる態様にそれらの係合片を配置している。これにより、電動送風機を利用して吸入口から塵などを吸引していくうちに、集塵ケースの後面が本体ケースの内部排気口の周囲を構成する隔離壁に密着されるようになっても、集塵室から集塵ケースを取り出しやすくなる。
【図面の簡単な説明】
【００１０】
【図１】本発明の実施の形態１に係る電気掃除機の外蓋開状態の断面図。
【図２】本発明の実施の形態１に係る電気掃除機の外蓋閉状態の断面図。
【図３】本発明の実施の形態２に係る電気掃除機の外蓋閉状態の断面図。
【図４】本発明の実施の形態３に係る電気掃除機の外蓋動作中の断面図。
【図５】本発明の実施の形態４に係る電気掃除機の外蓋閉状態の断面図。
【図６】本発明の実施の形態５に係る電気掃除機の外蓋開状態の断面図。
【図７】本発明の実施の形態６及び７に係る電気掃除機の外蓋閉状態の断面図。
【図８】本発明の実施の形態６及び７に係る電気掃除機の外蓋動作中の断面図。
【図９】本発明の実施の形態７に係る電気掃除機の外蓋の回転中心軸付近の拡大図。
【図１０】実施の形態７に係る集塵ケースに設けられている回動ハンドルの説明図。
【図１１】図１０の回動ハンドルの側面図。
【図１２】本発明の実施の形態７の変形例を示す電気掃除機の外蓋閉状態の断面図。
【発明を実施するための形態】
【００１１】
以下において、図面を参照しながら本発明の実施の形態を説明する。なお、各図に示した符号のうち、同じ符号は同一物または相当物を表しているものとする。
実施の形態１
図１、図２は本発明の実施の形態１に係る電気掃除機を示す断面図であり、図１は集塵室の開口部（集塵ケースの着脱口）を開閉する外蓋が開いた状態を示し、図２は外蓋が閉じられて本体ケースに係止された状態を示している。図１、２において、本体ケース１には、吸入口２、吸入口２に通じる集塵室３、集塵室３の開口部を開閉する回転自在の外蓋４、集塵室３に通じる内部排気口５、内部排気口５に通じる電動送風機室６、電動送風機室６に通じる外部排気口７を備えている。集塵室３には着脱自在に集塵ケース９が配置され、電動送風機室６には電動送風機１０が配置されている。なお、本体ケース１の下部には回転自在の車輪１１Ａ，１１Ｂが設けられ、本体ケース１の吸入口２には吸込具を備えたホース１２が接続される。
【００１２】
集塵ケース９はその前壁に吸入口２に連通する接続口９１を有しその後壁に内部排気口５及び電動送風機室７へ連通する通気面（フィルタを含む場合有り）９２を備えている。なお、集塵ケース９の後壁は単に開放させた状態としてもよい。
集塵ケース９は内部に集塵袋（ここでは図示せず）を着脱自在に設けて塵埃を集塵袋に捕集してもよく、あるいは集塵ケース９の後面を通気面９２として塵埃を直接ケース９に捕集するようにしてもよい。
集塵ケース９の上部には、集塵ケース９の着脱操作に利用するための回動自在なハンドル（以下回動ハンドル９５という）が設けられている。
【００１３】
集塵室３の底面には、コイルバネ１４と該コイルバネ１４の先端を覆う台座１５からなり、集塵ケース９を上方に付勢する集塵ケース付勢機構が設けられている。コイルバネ１４は、集塵室３の底面中央部より内部排気口５側に寄った位置に設けられるのが好ましい。それは、集塵が集塵ケース９内で内部排気口５側から蓄積されて、通常はその部分に集塵ケース９の重心があるからである。
なお、集塵ケース付勢機構は、コイルバネ１４に代えて、他のバネあるいはゴムなど他の弾性体を利用して構成しても良い。
また、集塵室３の上部開口部は、回転中心軸（ここでは図示せず）を中心に矢印Ａ方向に回転する外蓋４により、開閉可能とされている。
【００１４】
本体ケース１の吸入口２周囲には、集塵ケース９が使用位置にある時に、集塵ケース９の接続口９１と本体ケース１とのシール性を確保するためのパッキン１３が設けられている。
また、集塵ケース９の後側外周には、集塵ケース９が使用位置にある時に、本体ケース１とのシール性を確保するためのパッキン９３が設けられている。
【００１５】
本体ケース１の吸入口２側には、コイルバネ１４によって上方に押し出される集塵ケース９を集塵室３内に押圧保持するための保持部材１７が設けられており、この保持部材１７に集塵ケース９に形成された凸部９４が係止されて、集塵ケース９は集塵室３内の所定位置（使用位置）に押圧保持される。したがって、保持部材１７と集塵ケース９の凸部９４は集塵ケース９に対してのラッチ機構を構成している。
保持部材１７は軸１８を中心に回動自在に構成されており、スプリング１９によって矢印Ｂ方向と反対方向に常時付勢されている。保持部材１７は、下方向に向かって厚みが増す斜面の終端に形成された掛かり爪１７ａを備え、その掛かり爪１７ａに凸部９４が係止されるようになっている。集塵ケース９が集塵室３に押し込まれると、凸部９４は掛かり爪１７ａに至るまでの斜面をスライドして掛かり爪１７ａに至り、そこで掛かり爪１７ａに係止される。なお、凸部９４と掛かり爪１７ａとの係止は、保持部材１７を矢印Ｂ方向に回動させることにより外すことができる。
【００１６】
次に上記電気掃除機の作用について説明する。電動送風機１０の吸引によってホース１２から吸引された塵埃は吸入口２及び接続口９１を経由して集塵ケース９内に集塵され、排気のみが内部排気口５及び電動送風機室６を経由して外部排気口７から外に排出される。そして、集塵ケース９の塵埃を廃棄処理するため等により、集塵ケース９を集塵室３から取り出す際は、本体ケース１に係止されて閉じられていた外蓋４を開けてそれを取り出す。外蓋４が完全に開いた時にはコイルバネ１４の上方への付勢によって、集塵ケース９の上部が集塵室３から突出するため、集塵ケース９の上部または上面に設けた回動ハンドル９５を持って、集塵ケース９を簡単に本体ケース１から外すことが容易に可能となる。
【００１７】
実施の形態２
図３は本発明の実施の形態２に係る電気掃除機の断面図であり、外蓋４が閉じられて本体ケース１に係止された状態を示している。ここでは、外蓋４を閉めたときに、保持部材１７と集塵ケース９の凸部９４との係止を解除させるラッチ解除リブ４２を、外蓋４の内側に外蓋４と一体に設けている。
すなわち、保持部材１７と集塵ケース９の凸部９４との係止により、集塵ケース９は集塵室３内の所定位置（例えば使用位置）に保持される。その後、集塵室３の開口部を閉じる外蓋４の閉動作が行われると、その閉動作の終了点付近で、ラッチ解除リブ４２が保持部材１７に当接してそれを矢印Ｃ方向に回動させ、保持部材１７の掛かり爪１７ａと凸部９４との係止を解除する。なお、ラッチ解除リブ４２は、外蓋４が閉位置にある間、掛かり爪１７ａと凸部９４との係止を解除した状態を維持する態様に形成されている。
加えて、外蓋４の内側に外蓋４と一体の押さえリブ４３を設けておき、外蓋４が閉じられた状態にあっては、この押さえリブ４３を集塵ケース９の上部に当接させて、集塵ケース９を集塵室３内の所定位置（使用位置）に保持するようにしている。
【００１８】
次に、実施の形態２における外蓋４と集塵ケース９の作用について説明する。集塵ケース９を集塵室３内に押し込むと、保持部材１７の掛かり爪１７ａに集塵ケース９の凸部９４が係止されて、集塵ケース９が集塵室３内の所定位置に保持される。その後さらに外蓋４を閉めると、ラッチ解除リブ４２によって掛かり爪１７ａと凸部９４との係合が解除される。しかし、外蓋４が完全に閉じて本体ケース１に係止されると、集塵ケース９は、保持部材１７に代わって、こんどは押さえリブ４３によって集塵室３内の所定位置に押圧保持されることになる。
このような状態で集塵ケース９が本体ケース１に収納されているため、集塵ケース９を取り出す際には、外蓋４を開くだけで集塵ケース９がフリー状態になり、集塵ケース９は下方のコイルバネ１４によって自動的に上方へ押上げられる。これにより、集塵ケース９を取り出す際には、保持部材１７との係止解除操作を特に行うことなく、容易に集塵ケース９を本体ケース１から取り出すことが可能となる。
【００１９】
実施の形態３
図４は本発明の実施の形態３に係る電気掃除機を示す断面図であり、集塵室３の開口部に位置合わせされて置かれた集塵ケース９を、所定位置（使用位置）に押し込むことを説明するものである。ここでは、外蓋４がその内側に一体に形成された押し込みリブ４４を備えている。この押し込みリブ４４は、外蓋４の閉動作時、集塵ケース９を集塵室３の所定位置へ押し込む作用を果たす。すなわち、集塵ケース９を集塵室３に装着する際に、集塵室３に対して水平方向の位置決めだけを行ってラフにセットすると、集塵ケース９は下方のコイルバネ１４により上方に浮いた状態となる。その後、外蓋４を閉める動作を行うと、押し込みリブ４４は外蓋４の閉動作に対応して集塵ケース９に作用し、集塵ケース９を集塵室３内の所定位置に押し込む作用を果たす。更に、外蓋４が閉状態にあっては、集塵ケース９を所定位置に保持する作用を兼ねる。
【００２０】
したがって、集塵ケース９を集塵室３に装着する際、集塵ケース９を手で押し込める必要はなく、水平方向の位置決めのみ行えば、後は外蓋４の閉動作により集塵室３の所定位置まで押込まれるので、集塵ケース９をより簡単に本体ケース１に取り付けることができる。
なお、以上のような作用を果たす押し込みリブ４４は、集塵ケース９の押し込み摩擦の最も大きい集塵ケース９の後部に当接するように対応させて、外蓋４の内側に形成するのが好ましい。
【００２１】
実施の形態４
図５は本発明の実施の形態４に係る電気掃除機の断面図であり、外蓋４が閉じられて本体ケース１に係止された状態を示している。ここでは、集塵室３内の所定領域（集塵ケース９の使用位置として許容されている一定の範囲）における集塵ケース９の可動隙間について説明する。
図５は本体ケース１の吸入口２の中心と集塵ケース９の接続口９１の中心とが一致している状態を示している。このような状態において、集塵ケース９の凸部９４と掛かり爪１７ａとの間の隙間をＣ、集塵室３の底面とコイルバネ１４の上端に被せられる台座１５との隙間をＤとする。これらの隙間Ｃ，Ｄは集塵室３内の使用位置部分での集塵ケース９の可動隙間を示している。
【００２２】
一方、本体ケース１の吸入口２部分の内径Ｈは、集塵ケース９の接続口９１の内径Ｇより小さく設けられている。本実施の形態では、これらの隙間Ｃ、隙間Ｄ、内径Ｇ、内径Ｈの関係が以下のようになるように設定している。
Ｃ≦（Ｇ−Ｈ）／２
Ｄ≦（Ｇ−Ｈ）／２
Ｇ＞Ｈ
【００２３】
次に上記の可動隙間を備えた電気掃除機の作用と効果について説明する。電気掃除機はそれを引きまわして移動させながら使用する場合が多い。そして電気掃除機が床面の段差乗り越える際には、電気掃除機が上下方向に振動するが、集塵室３の内部においては先に示した可動隙間Ｃ，Ｄとコイルバネ１４により集塵ケース９の上下振動が増幅されて、塵埃によって目が詰まりつつある集塵袋や通気面(フィルターを含む場合もある)９２にも伝達される。この伝達された振動によって、集塵袋や通気面９２の目詰まりが解消されて、より多くの捕集性能を確保することができる。
また、上記の隙間Ｃ，Ｄと内径Ｇ，Ｈの関係により、集塵ケース９に上下動が生じても集塵ケース９の接続口９１と本体ケース１の吸入口２がズレることなくシール性が確保できて、ホース１２から吸入した塵埃が集塵室３内にこぼれることなく確実に集塵ケース９内に導かれることになる。
【００２４】
実施の形態５
図６は本発明の実施の形態５に係る電気掃除機を示す断面図であり、外蓋４が開かれた状態を示している。ここでは、集塵ケース９の側面にケース側面から突出した突部９６が設けられている。また、本体ケース１には、集塵室３と外蓋４との間を全周にわたってシールして電動送風機３の吸引効果を高める為のパッキン２０が設けられている。そして、集塵ケース９がコイルバネ１４の作用により上方に押し上げられた付勢終点位置またはその近傍で、それらの突部９６とパッキン２０とが干渉または係止する関係に配置されている。すなわち、集塵ケース９の突部９６とパッキン２０とは、集塵ケース９の集塵室３からの飛び出し量を規定する集塵ケース係止機構を構成している。
【００２５】
以上のような構成の実施の形態５による電気掃除機の作用と効果について説明する。閉じられていた外蓋４を開けると、下方のコイルバネ１４の付勢によって集塵ケース９が集塵室３より押し出される。したがって、集塵室３の開放面が垂直面となる縦置き状態で使用または保管などされる場合、コイルバネ１４の付勢によって、外蓋４を開けたとき勢い余って集塵ケース９が本体ケース１から脱落して、集塵ケース９内に捕集した塵埃を床面に撒き散らす可能性がある。しかし、本構成の電気掃除機においては、パッキン２０と集塵ケース９の側面に設けた突部９６とが引出し作動の途中または終点で干渉する為、集塵ケース９が集塵室３から脱落するのを防止できる。
なお、集塵ケース係止機構を構成する突部９６は集塵ケース９の後面に設けることが好ましい。それは、電気掃除機を立てた状態では集塵ケース９が重力の関係で本体の後側に来るため、パッキン２０との干渉がより効果的に実行されることになるからである。
【００２６】
実施の形態６
図７、図８は本実施の形態６に係る電気掃除機の内部を示す断面図であり、図７は外蓋４が閉じて本体ケース１に係止された状態を示し、図８は外蓋４が開かれている途中を表した図である。
実施の形態６では、外蓋４の内側と集塵ケース９の上部とに、外蓋４が閉じた状態から外蓋４が所定の開度に至るまでの範囲で、互いに係合し合う係合片４７，９７をそれぞれ設け、外蓋４が開かれる際に、外蓋４の係合片４７が集塵ケース９の係合片９７に作用して集塵ケース９を吸入口２側に押圧しながら持上げ、その後互いの係合片４７，９７が離れるように構成したものである。なお、係合片４７は外蓋４と一体に、係合片９７は集塵ケース９と一体にそれぞれ形成される。
これを設けた理由は、電動送風機１０を利用して吸入口２から塵など吸引していくうちに、集塵ケース９の後面が本体ケース１の内部排気口５の周囲を構成する隔離壁３１に密着されるようになり、それによって集塵ケース９が集塵室３から取り出しにくくなることに対処するためである。
【００２７】
次に実施の形態６の電気掃除機における集塵ケース９の取出方法を説明する。まず、集塵室３の開口部を閉じていた外蓋４を開くには、外蓋４の先端部に対応する部位の本体ケース１に形成されている開口５０から指を差し入れて、外蓋４の本体ケース１に対する係止状態を解除して外蓋４を持ち上げる。これにより外蓋４はその回転中心軸１００を中心に可動し始める。この時、回転軸１００より下方にある外蓋４の係合片４７の可動軌跡は一旦吸入口２側に向かいながら上方に向かい、係合片４７と係合片９７との係止部が回転軸１００と水平位置（同じ高さ位置）になると、今度は電動送風機室６側に向いながらさらに上方に向かう。このような外蓋４の係合片４７の移動軌跡にともない、係合片４７と係合している集塵ケース９の係合片９７の軌跡も同様に一旦吸入口２側に向かいながら上方に向かい、係合片４７と係合片９７との係止部が回転中心軸１００と水平位置になると、それらの間の係合が外れる。
【００２８】
上記のように係合片４７と係合片９７の係合部の軌跡に伴い、集塵ケース９の全体も同様に一旦吸入口２側に向かいながら上方に上がる。これによって、本体ケース１の内部排気口５の周囲を構成する集塵室背面の隔離壁３１に密着されていた集塵ケース９は、隔離壁３１との密着が外れる。係合片４７と係合片９７との係止部が回転中心軸１００と水平位置になると、それらの間の係合が外れ集塵ケース９は集塵室３内に落ちるが、隔離壁３１に対して密着状態にはなっていないので、集塵ケース９を集塵室３から容易に取り出すことができる。
【００２９】
実施の形態７
次に本発明の実施の形態７に係る電気掃除機を先に示した図７、図８を基に説明する。実施の形態７では、集塵室３の開口部を開閉する外蓋４の先端部に、本体ケース１先端の切欠部（以下開口５０という）に設けられた鉤部５１と係合して外蓋４を閉状態に保持する尾錠４８を設けている。この尾錠４８は中心軸４８ａを中心に回動可能なＬ字型とされていて、尾錠４８の一方の端部が本体ケース１の鉤部５１と係合可能とされ、尾錠４８の他方の端部は、外蓋４の外側から押圧できるように外蓋４に設けた係止解除ボタン４９と当接可能とされている。係止解除ボタン４９はバネなどの弾性体で戻り自在に支持されており、係止解除ボタン４９を押圧すると、係止解除ボタン４９の底部が本体ケース１の鉤部５１に係合されている尾錠４８に作用して、それを鉤部５１から外す作用を果たす。これにより閉じていた外蓋４が開いて、図７から図８へ状態が移行する。
【００３０】
また、この実施の形態７では、外蓋４の先端部と本体ケース１との間の開口５０から指を挿入可能としており、指で尾錠４８を操作可能にしてある。これにより、係止解除ボタン４９を利用しても、また直接指で操作しても、尾錠４８を鉤部５１から外して外蓋４を開くことができるようにしている。
【００３１】
また、図９に示すように、外蓋４の回転中心軸１００には、外蓋４を支えるアーム４０が取り付けられている。そして、外蓋４の回転中心軸１００には、外蓋４を常に開く方向へ付勢する反発力発生具としてのバネ１０１が設けられている。加えて、係止解除ボタン４９の押圧時、外蓋４はそれが閉じられて係止した状態よりもさらに下方へ押されることが可能となるように、集塵室３に装着された集塵ケース９との間に可動隙間が形成されている。これにより、集塵室３の外蓋４の外側に設けた係止解除ボタン４９を押す動作に伴い、外蓋４もそれがさらに閉じられる方向に押され、この動作によってバネ１０１のたわみ量、すなわち反発力がさらに増える。これにより、閉じている状態での外蓋４に対するバネ１０１の付勢力を小さく設定しても、係止解除ボタン４９を押した時には外蓋４を開かせる方向への付勢力を大きくすることが可能となり、外蓋４を開ける際の操作が容易になる。しかもこれにより、外蓋４が閉じている状態の外蓋４または本体ケース１へ加わる応力を小さくすることができる。
【００３２】
更に、図９に示したように、外蓋４を支持するアーム４０の回転を一定幅に制限するストッパ１０２を、本体ケース１に設けておくのが好ましい。それにより、バネ１０１の付勢力によって勢いよく開いた外蓋４が一旦ストッパ１０２によって止まるため、外蓋４の急激な開動作が生じても安全が確保できる。なお、ストッパ１０２によって止められた外蓋４は、既に部分的に開いているため、その後は手動によって容易に開くことができる。  また、図１２に示すように、外蓋４の係合片４７を、外蓋４が一定幅だけ開いたときに集塵ケース９の係合片９７と接触する態様に配置しておき、その接触を利用して外蓋４の急激な開動作を一旦停止させたり、開動作の速度を低下させることができる。
【００３３】
図１０、図１１は集塵ケース９の上部に設けられている回動ハンドル９５の正面図と側面図である。ここでは、集塵ケース９を集塵室３に収納した際における回動ハンドル９５の回動方向を外蓋４の回動方向と同じ方向にするとともに、回動ハンドル９５の回転中心軸１０６に、回動ハンドル９５に作用して回動ハンドル９５を常に起立状態とするように付勢する反発力発生具としてのバネ１０７を設けている。
この構成によれば、集塵ケース９の回動ハンドル９５が起立状態へと移動する動作に伴い、回動ハンドル９５が外蓋４の内面に当接し、外蓋４を開く方向へ付勢する補助力をもたらす。したがって、この構成により、外蓋４の回転中心軸１００に設ける付勢力を小さく設定することが可能となり、外蓋４または本体ケース１へ加わる応力を小さくすることができる。
なお、回動ハンドル９５は、外蓋４の閉状態から回動ハンドル９５がほぼ直立状態に至るまでのできるだけ長い間、外蓋４に接触しているのが好ましく、このため外蓋４の内側に、回動ハンドル９５が立ち上がった際にその先端部９５ａが当接するハンドルリブ６０などを外蓋４と一体に設けるのが好ましい。
また、回動ハンドル９５の外蓋４内面との当接部９５ａは、図１１に示すように滑らかな曲面とするのが好ましい。
【００３４】
以上、本発明の各実施の形態を説明したが、本発明の各態様は、集塵ケース内に使い捨て紙パックを設ける場合と設けない場合の両方の場合に適用できる。
また、上記で説明した各実施の形態を適宜組み合わせて電気掃除機を構成してもよい。
【符号の説明】
【００３５】
１  本体ケース、２  吸入口、３  集塵室、４  外蓋、５  内部排気口、６  電動送風機室、７  外部排気口、９  集塵ケース、１０  電動送風機、１１Ａ，１１Ｂ  車輪、１２  ホース、１３  パッキン、１４  コイルバネ、１５  台座、１７  保持部材、１７ａ  掛かり爪、１８  保持部材の回転中心軸、１９  スプリング、２０  パッキン、４０  アーム、４２  ラッチ解除リブ、４３  押さえリブ、４４  押し込みリブ、４７  外蓋の係合片、４８  尾錠、４９  係止解除ボタン、５０  開口、５１  鉤部、６０  ハンドルリブ、９１  接続口、９２  通気面、９３  パッキン、９４  凸部、９５  回動ハンドル、９５ａ  回動ハンドルの先端部、９６  突部、９７  集塵ケースの係合片、１００  外蓋の回転中心軸、１０１  バネ、１０２  ストッパ、１０６  回動ハンドルの回転中心軸、１０７  バネ。
【図１】
0005202721.tif 000002
【図２】
0005202721.tif 000003
【図３】
0005202721.tif 000004
【図４】
0005202721.tif 000005
【図５】
0005202721.tif 000006
【図６】
0005202721.tif 000007
【図７】
0005202721.tif 000008
【図８】
0005202721.tif 000009
【図９】
0005202721.tif 000010
【図１０】
0005202721.tif 000011
【図１１】
0005202721.tif 000012
【図１２】
0005202721.tif 000013